(57)【要約】［課題］ノック体を回動することでインキ収容筒内を使用者の好みに合わせて任意の強さで加圧することができ、一度設定すれば加圧力設定を維持したまま使用時に容易に筆記状態と非筆記状態とを切り替え可能な加圧式筆記具を提供する。［解決手段］加圧式筆記具（１）は、筆記具用インキ組成物（１１）が充填されたレフィル（８）を内部に収容可能な軸筒（４）と、筆記具用インキ組成物（１１）に圧力を加える加圧機構（７）と、を備え、レフィル（８）の前端部が軸筒（４）の前端開口部（３ａ）から突出した筆記状態と、レフィル（８）の前端部が軸筒（４）の前端開口部（３ａ）から没入した非筆記状態と、を切り換え可能な加圧式筆記具（１）であって、圧力を調整する加圧力調整機構（２４）を有する。
2019004461.tif 000002
【特許請求の範囲】
【請求項１】
筆記具用インキ組成物が充填されたレフィルを内部に収容可能な軸筒と、
前記筆記具用インキ組成物に圧力を加える加圧機構と、を備え、
前記レフィルの前端部が前記軸筒の前端開口部から突出した筆記状態と、前記レフィルの前端部が前記軸筒の前端開口部から没入した非筆記状態と、を切り換え可能な加圧式筆記具であって、
前記圧力を調整する加圧力調整機構を有する、加圧式筆記具。
【請求項２】
軸筒内に、筆記具用インキ組成物を充填したインキ収容筒と、該インキ収容筒の前方部にボールペンチップと、を具備したボールペンレフィルを収容してなり、
前記ボールペンレフィルの後方に、前記筆記具用インキ組成物の後端に連通する加圧室と、該加圧室に圧力を加える加圧機構とが配設され、
前記加圧機構の後方に配設したノック体を前方へ押圧することにより、前記軸筒の前端開口部から前記ボールペンレフィルの前端が突出するよう構成した加圧式筆記具であって、
前記ノック体の前方にカム部材が配設され、
前記加圧機構の後方に、前記ノック体を回動することで少なくとも筆記時における前記加圧室の容積を増減させる加圧力調整機構を具備し、
前記ボールペンレフィルの外段部と前記軸筒の内段部との間に第一弾発体を配設して該軸筒に対して該ボールペンレフィルを後方へ弾発し、
前記ノック体を前方へ押圧すること、または、筆記時の筆圧によりボールペンレフィルが後退することで前記加圧機構を作動させ、前記筆記具用インキ組成物の後端に圧力を掛けると共に、前記加圧力調整機構により前記筆記具用インキ組成物の後端に掛かる圧力を調整可能に構成した、加圧式筆記具。
【請求項３】
前記ノック体の外方に、前記軸筒に対して前後動自在に形成したスライド部材が配設され、前記スライド部材に対して前記ノック体を回動自在且つ前後動不能に係止すると共に、前記スライド部材に対して前記カム部材を前後動自在且つ回動不能に係止し、
前記スライド部材と前記ノック体と前記カム部材とで前記加圧力調整機構を構成した、請求項２に記載の加圧式筆記具。
【請求項４】
軸筒内に、筆記具用インキ組成物を充填したインキ収容筒と、該インキ収容筒の前方部にボールペンチップと、を具備したボールペンレフィルを収容してなり、
前記ボールペンレフィルの後方に、前記筆記具用インキ組成物の後端に圧力を加える加圧機構が配設され、
前記加圧機構の後方に、前方へ押圧することにより前記軸筒の前端開口部から前記ボールペンレフィルの前端部を突出させる出没機構が配設された加圧式筆記具であって、
前記出没機構は、前記軸筒に対して前後動自在、且つ、回動不能に配設されたスライド部材と、前記スライド部材の後部に回動自在に係止され、前記軸筒の後端より後方へ突出するノック体と、前記スライド部材の内方に配設され、該スライド部材に対して前後動自在、且つ、回動不能に係止された摺動部材と、を備え、
前記摺動部材は、前記ノック体の回動に連動して前後動するよう該ノック体に係止され、その前端が前記加圧機構の後端に当接しており、
前記ボールペンレフィルの外段部と前記軸筒の内段部との間に第一弾発体を配設することで該軸筒に対して該ボールペンレフィルが後方へ弾発され、
前記出没機構のノック体を前方へ押圧することにより、前記スライド部材の外壁に形成した掛止部が、前記軸筒の後部に設けたクリップの前部の被掛止部に掛止して、前記ボールペンレフィルの前端部が、前記軸筒の前端開口部から突出した状態を維持し、前記クリップの後端部を押圧して、クリップの被掛止部に掛止した前記掛止部との掛止状態を解除すると、前記第一弾発体の弾発力によって、前記スライド部材を後方に移動させると共に、前記ボールペンレフィルの前端部を軸筒の前端開口部内に没入させ、
前記ボールペンレフィルの前端部が、前記軸筒の前端開口部からの突出を維持した状態で、筆記時の筆圧によりボールペンレフィルが後退することで前記加圧機構を作動させ、前記筆記具用インキ組成物の後端に圧力を掛けると共に、前記出没機構のノック体を回動して前記摺動部材を前後動させることで、前記筆記具用インキ組成物の後端に掛かる圧力を調整可能に構成した、加圧式筆記具。
【請求項５】
前記加圧機構は、前記インキ収容筒の後端部に連結し内外を連通する空気孔を有するシリンダーと、前記シリンダーの後端開口部に該シリンダーに対し前後動可能に配設したピストンと、前記シリンダーの空気孔を閉鎖する密閉部材と、前記シリンダーと前記ピストンの間に配設され該シリンダーを前方に弾発する第二弾発体と、前記シリンダーの内壁と前記ピストンの前端との間に形成され前記インキ収容筒の後端開口部内に連通する前記加圧室と、が具備され、
前記ボールペンレフィルが軸筒内にある非ノック時においては、前記第二弾発体の弾発力より前記第一弾発体の弾発力が小さくなるよう構成した、請求項２〜４のいずれかに記載の加圧式筆記具。
【請求項６】
前記ノック体を前方へ押圧し、前記ボールペンレフィルを前記軸筒の前端開口部から突出させたノック時においては、前記第二弾発体の弾発力より前記第一弾発体の弾発力が大きくなるように構成した、請求項５に記載の加圧式筆記具。
【請求項７】
前記ノック体を前方へ押圧し、前記ボールペンレフィルを前記軸筒の前端開口部から突出させたノック時においては、前記第二弾発体の弾発力より前記第一弾発体の弾発力が小さくなるように構成した、請求項５に記載の加圧式筆記具。
【請求項８】
前記筆記具用インキ組成物は、熱変色性インキであり、
前記軸筒の後端に設けられ、前記熱変色性インキの筆跡を摩擦しその際に生じる摩擦熱により該筆跡を変色させることが可能な摩擦体を有する、請求項１〜７のいずれかに記載の加圧式筆記具。
【発明の詳細な説明】
【技術分野】
【０００１】
本発明は、加圧式筆記具に関する。
【背景技術】
【０００２】
従来からこの種の加圧式筆記具は、例えばＪＰ２０００−３３５１７３Ａに開示のように、インキ収容管の後端部に加圧機構が設けられ、ノック機構（ノック体）の押圧操作に連動させて前記インキ充填管内を加圧状態とする構造が知られている。【０００３】
しかしながら、ＪＰ２０００−３３５１７３Ａのような加圧式筆記具にあっては、加圧機構部を作動させた後は、インキ収容管内に掛かる圧力が変えられないため、必ずしも使用者の好みに合った筆跡幅や筆跡濃度にならない場合があった。【０００４】
また、この問題を解決する技術としてＪＰＨ０８−１４１４８２Ａには、液タンク内の修正液の後端に掛ける圧力を任意に調整可能な塗布具が開示されている。
ＪＰＨ０８−１４１４８２Ａの塗布具では、軸筒後端の回転体を、筒内端部のタンク押動部の押圧起点から押圧終点方向に向けて段階的に回転させることで、各段の加圧部の高さに応じて液タンクの後端を軸筒前方に押動し段階的に液タンクを圧縮する構造となっている。【０００５】
しかしながら、ＪＰＨ０８−１４１４８２Ａの構造では、使用時に液タンク内を任意の強さで加圧することが可能であるが、使用時には毎回、回転体を回転させることで加圧力を調整する必要があり、更に使用を中止する際も、加圧したままでは液漏れを起こす危険性があるため、回転体を元の位置まで回転させてから保管する必要があり、手間が掛かっていた。
【発明の開示】
【０００６】
本発明は、前記問題を鑑みてなされたものであって、ノック体を回動することでインキ収容筒内を使用者の好みに合わせて任意の強さで加圧することができ、一度設定すれば加圧力設定を維持したまま使用時に容易に筆記状態と非筆記状態とを切り替え可能な加圧式筆記具を提供することを目的とする。
【０００７】
本発明の加圧式筆記具は、
筆記具用インキ組成物が充填されたレフィルを内部に収容可能な軸筒と、
前記筆記具用インキ組成物に圧力を加える加圧機構と、を備え、
前記レフィルの前端部が前記軸筒の前端開口部から突出した筆記状態と、前記レフィルの前端部が前記軸筒の前端開口部から没入した非筆記状態と、を切り換え可能な加圧式筆記具であって、
前記圧力を調整する加圧力調整機構を有する。
【０００８】
本発明の加圧式筆記具は、
軸筒内に、筆記具用インキ組成物を充填したインキ収容筒と、該インキ収容筒の前方部にボールペンチップと、を具備したボールペンレフィルを収容してなり、
前記ボールペンレフィルの後方に、前記筆記具用インキ組成物の後端に連通する加圧室と、該加圧室に圧力を加える加圧機構とが配設され、
前記加圧機構の後方に配設したノック体を前方へ押圧することにより、前記軸筒の前端開口部から前記ボールペンレフィルの前端が突出するよう構成した加圧式筆記具であって、
前記ノック体の前方にカム部材が配設され、
前記加圧機構の後方に、前記ノック体を回動することで少なくとも筆記時における前記加圧室の容積を増減させる加圧力調整機構を具備し、
前記ボールペンレフィルの外段部と前記軸筒の内段部との間に第一弾発体を配設して該軸筒に対して該ボールペンレフィルを後方へ弾発し、
前記ノック体を前方へ押圧すること、または、筆記時の筆圧によりボールペンレフィルが後退することで前記加圧機構を作動させ、前記筆記具用インキ組成物の後端に圧力を掛けると共に、前記加圧力調整機構により前記筆記具用インキ組成物の後端に掛かる圧力を調整可能に構成される。
【０００９】
本発明の加圧式筆記具において、
前記ノック体の外方に、前記軸筒に対して前後動自在に形成したスライド部材が配設され、前記スライド部材に対して前記ノック体を回動自在且つ前後動不能に係止すると共に、前記スライド部材に対して前記カム部材を前後動自在且つ回動不能に係止し、
前記スライド部材と前記ノック体と前記カム部材とで前記加圧力調整機構を構成してもよい。
【００１０】
本発明の加圧式筆記具は、
軸筒内に、筆記具用インキ組成物を充填したインキ収容筒と、該インキ収容筒の前方部にボールペンチップと、を具備したボールペンレフィルを収容してなり、
前記ボールペンレフィルの後方に、前記筆記具用インキ組成物の後端に圧力を加える加圧機構が配設され、
前記加圧機構の後方に、前方へ押圧することにより前記軸筒の前端開口部から前記ボールペンレフィルの前端部を突出させる出没機構が配設された加圧式筆記具であって、
前記出没機構は、前記軸筒に対して前後動自在、且つ、回動不能に配設されたスライド部材と、前記スライド部材の後部に回動自在に係止され、前記軸筒の後端より後方へ突出するノック体と、前記スライド部材の内方に配設され、該スライド部材に対して前後動自在、且つ、回動不能に係止された摺動部材と、を備え、
前記摺動部材は、前記ノック体の回動に連動して前後動するよう該ノック体に係止され、その前端が前記加圧機構の後端に当接しており、
前記ボールペンレフィルの外段部と前記軸筒の内段部との間に第一弾発体を配設することで該軸筒に対して該ボールペンレフィルが後方へ弾発され、
前記出没機構のノック体を前方へ押圧することにより、前記スライド部材の外壁に形成した掛止部が、前記軸筒の後部に設けたクリップの前部の被掛止部に掛止して、前記ボールペンレフィルの前端部が、前記軸筒の前端開口部から突出した状態を維持し、前記クリップの後端部を押圧して、クリップの被掛止部に掛止した前記掛止部との掛止状態を解除すると、前記第一弾発体の弾発力によって、前記スライド部材を後方に移動させると共に、前記ボールペンレフィルの前端部を軸筒の前端開口部内に没入させ、
前記ボールペンレフィルの前端部が、前記軸筒の前端開口部からの突出を維持した状態で、筆記時の筆圧によりボールペンレフィルが後退することで前記加圧機構を作動させ、前記筆記具用インキ組成物の後端に圧力を掛けると共に、前記出没機構のノック体を回動して前記摺動部材を前後動させることで、前記筆記具用インキ組成物の後端に掛かる圧力を調整可能に構成される。
【００１１】
本発明の加圧式筆記具において、
前記加圧機構は、前記インキ収容筒の後端部に連結し内外を連通する空気孔を有するシリンダーと、前記シリンダーの後端開口部に該シリンダーに対し前後動可能に配設したピストンと、前記シリンダーの空気孔を閉鎖する密閉部材と、前記シリンダーと前記ピストンの間に配設され該シリンダーを前方に弾発する第二弾発体と、前記シリンダーの内壁と前記ピストンの前端との間に形成され前記インキ収容筒の後端開口部内に連通する前記加圧室と、が具備され、
前記ボールペンレフィルが軸筒内にある非ノック時においては、前記第二弾発体の弾発力より前記第一弾発体の弾発力が小さくなるよう構成してもよい。
【００１２】
本発明の加圧式筆記具において、
前記ノック体を前方へ押圧し、前記ボールペンレフィルを前記軸筒の前端開口部から突出させたノック時においては、前記第二弾発体の弾発力より前記第一弾発体の弾発力が大きくなるように構成してもよい。
【００１３】
本発明の加圧式筆記具において、
前記ノック体を前方へ押圧し、前記ボールペンレフィルを前記軸筒の前端開口部から突出させたノック時、とりわけ前記ボールペンレフィルのボールペンチップが、前記軸筒の前端開口部から突出を維持したノック時、においては、前記第二弾発体の弾発力より前記第一弾発体の弾発力が小さくなるように構成してもよい。
【００１４】
本発明の加圧式筆記具において、
前記筆記具用インキ組成物は、熱変色性インキであり、
前記軸筒の後端に設けられ、前記熱変色性インキの筆跡を摩擦しその際に生じる摩擦熱により該筆跡を変色させることが可能な摩擦体を有してもよい。
【００１５】
［発明の効果］
本発明によれば、ノック体を回動することで、インキ収容筒内を使用者の好みに合わせて任意の強さで加圧することができ、一度設定すれば使用時に容易に筆記状態と非筆記状態とを切り替え可能な加圧式筆記具を提供することができる。
【図面の簡単な説明】
【００１６】
【図１】図１は、第１実施形態の加圧式筆記具の縦断面図である。
【図２】図２は、図１の要部を拡大した拡大縦断面図である。
【図３】図３は、加圧力調整機構の構成を説明するための分解図である。
【図４】図４は、加圧機構の縦断面図である。
【図５】図５は、図１の状態からノック体を押圧した状態を示す縦断面図である。
【図６Ａ】図６Ａは、図１において、ノック体を回動した状態を示す説明図であり、加圧力を相対的に高い圧力に設定した状態を示している。
【図６Ｂ】図６Ｂは、図１において、ノック体を回動した状態を示す説明図であり、加圧力を相対的に低い圧力に設定した状態を示している。
【図６Ｃ】図６Ｃは、図１において、ノック体を回動した状態を示す説明図であり、加圧力が掛からないよう設定した状態を示している。
【図７】図７は、第１実施形態の加圧式筆記具の変形例を示す縦断面図である。
【図８】図８は、変形例に係る加圧式筆記具においてノック体を押圧した状態を示す縦断面図である。
【図９】図９は、変形例に係る加圧式筆記具で筆記する際の状態を示す説明図である。
【図１０】図１０は、図９の状態から軸心に沿って筆圧を掛けた状態を示す説明図である。
【図１１】図１１は、第２実施形態の加圧式筆記具の縦断面図である。
【図１２】図１２は、図１１の要部を拡大した拡大縦断面図である。
【図１３】図１３は、図１１の出没機構の構成を説明するための分解図である。
【図１４】図１４は、図１１の加圧機構の縦断面図である。
【図１５】図１５は、図１１の状態からノック体を押圧したノック状態を示す縦断面図である。
【図１６】図１６は、図１５の加圧式筆記具で筆記する際の状態を示す説明図である。
【図１７】図１７は、図１６の状態から軸心に沿って筆圧を掛けた状態を示す説明図である。
【図１８Ａ】図１８Ａは、図１１において、ノック体を回動した状態を示す説明図であり、加圧力を相対的に高い圧力に設定した状態を示している。
【図１８Ｂ】図１８Ｂは、図１１において、ノック体を回動した状態を示す説明図であり、加圧力を相対的に低い圧力に設定した状態を示している。
【図１８Ｃ】図１８Ｃは、図１１において、ノック体を回動した状態を示す説明図であり、加圧力が掛からないよう設定した状態を示している。
【図１９】図１９は、加圧式筆記具の他の変形例を示す図であり、非ノック時における加圧式筆記具の縦断面図である。
【図２０】図２０は、図１９の加圧式筆記具の内部部品の構成を説明するための分解図である。
【図２１】図２１は、図１９の加圧式筆記具の加圧機構を示す縦断面図である。
【図２２Ａ】図２２Ａは、図１９の加圧式筆記具のノック時における外観を示す図であって、加圧力が掛からないよう設定した状態における加圧式筆記具を示す図である。
【図２２Ｂ】図２２Ｂは、図２２Ａの加圧式筆記具の縦断面図である。
【図２３Ａ】図２３Ａは、図１９の加圧式筆記具のノック時における外観を示す図であって、加圧力を相対的に低い圧力に設定した状態における加圧式筆記具を示す図である。
【図２３Ｂ】図２３Ｂは、図２３Ａの加圧式筆記具の縦断面図である。
【図２４Ａ】図２４Ａは、図１９の加圧式筆記具のノック時における外観を示す図であって、加圧力を相対的に高い圧力に設定した状態における加圧式筆記具を示す図である。
【図２４Ｂ】図２４Ｂは、図２４Ａの加圧式筆記具の縦断面図である。
【発明を実施するための形態】
【００１７】
次に図面を参照しながら、本発明の加圧式筆記具を詳細に説明するが、本発明は以下の各実施形態に限定されるものではない。
また、本明細書では、軸筒の長手方向において、ボールペンチップがある方を前方と表現し、その反対側を後方と表現する。これにともなって、軸筒の長手方向に沿った方向を前後方向と表現することがある。また、前後方向への移動を前後動と表現することがある。更に、軸筒の軸径方向において、ボールペンレフィルがある方を内方と表現し、その反対側を外方と表現する。
尚、説明を分かりやすくするために、図面中の同様の部材、同様の部分については同じ符号を付してある。
【００１８】
〔第１実施形態〕
本実施形態の加圧式筆記具１は、軸筒４と、加圧機構７と、加圧力調整機構２４と、を備える。軸筒４は、筆記具用インキ組成物であるインキ１１が充填されたレフィル８を内部に収容可能に構成されている。加圧機構７は、インキ１１に圧力を加える機構である。加圧式筆記具１は、レフィル８の前端部が軸筒４の前端開口部３ａから突出した筆記状態と、レフィル８の前端部が軸筒４の前端開口部３ａから没入した非筆記状態と、を切り換え可能に構成されている。図１から図５に示された加圧式筆記具１では、後軸２の前方に前軸３を螺合することで軸筒４を形成してあり、軸筒４内に前後動可能に配設されたスライド部材５と、スライド部材５の後部に係止されたノック体６と、スライド部材５内に配設された加圧機構７と、加圧機構７の前部に装着され軸筒４内を前後に摺動可能なレフィル（ボールペンレフィル）８と、後軸２の側面に回動自在に係止されたクリップ９と、により構成してある。
【００１９】
ボールペンレフィル８は、ＰＰ樹脂からなる透明のインキ収容筒１０に、筆記具用インキ組成物であるインキ１１及び当該インキ１１の後端にインキの消費に伴い追従するグリース状のインキ追従体１２を直接収容し、インキ収容筒１０の前端開口部に、ボール（φ０．３８ｍｍ）を回動自在に抱持したボールペンチップ１３の後端部を圧入嵌合して得たものである。
【００２０】
前軸３（軸筒４）は、図１に示すように、前端にボールペンレフィル８のボールペンチップ１３が突出可能な前端開口部３ａが形成されている。また、前軸３（軸筒４）の内面に形成した内段部３ｂとボールペンレフィル８の外周面に形成した外段部８ａとの間に第１コイルスプリング１４（第一弾発体）を圧縮状態で張架し、軸筒４に対してボールペンレフィル８を後方に弾発してある。
【００２１】
後軸２（軸筒４）は筒状に形成してあり、図２に示すように、外側面２ａに軸方向に沿って延び、内孔まで貫通する側孔２ｂが形成してある。また、外側面２ａには外方へ向って突出するクリップ係止部２ｃが形成してあり、クリップ係止部２ｃはクリップ用係止突起２ｄとスプリング用係止突起２ｅにより構成してある。そして、クリップ用係止突起２ｄには軸方向に対して直交する方向に係止孔２ｆを形成してある。
また、後軸２の内周部には内方へ突出し軸方向に延びるレール部２ｇを形成してある。
【００２２】
スライド部材５は、図１〜図３に示すように、外周部に外方へ向って突出する掛止突起５ａを形成してあり、掛止突起５ａを後軸２の側孔２ｂに配置することで、後軸２に対してスライド部材５を前後に摺動自在且つ回動不能に装着してある。
また、スライド部材５の前部内孔には内方へ向って突出する複数の突起状のストッパー５ｂが形成してあり、スライド部材５の後端は内径が小さくなっている後段部５ｃが形成してある。
更に、スライド部材５の後部外側面には軸方向に沿って延びるカム用側孔５ｄが形成してある。
【００２３】
クリップ９は、図１及び図２に示すように、後軸２のスプリング用係止突起２ｅと、クリップ９の内壁部に軸筒４側に突出するように形成した内突起９ａとの間にクリップ用スプリング１６を配設し、クリップ９の内側壁に形成した係止軸部９ｂを係止孔２ｆに係止することで、クリップ９の先端部を、後軸２の外壁面側に常時弾発するよう張架すると共に、クリップ９の後端部を押圧（図２の矢印Ｇ方向）することにより、クリップ９と後軸２との係止軸Ｒを支点とし、クリップ９の先端部を後軸２の外壁面から離間可能な可動式クリップとして構成してある。
尚、クリップ９の前部には、基部９ｄから軸筒４側に延び、スライド部材５の側面に形成した掛止突起５ａと掛止する被掛止部９ｃを形成してある。
【００２４】
加圧機構７は、図１、図２、図４に示すように、ボールペンレフィル８の後方且つスライド部材５の内方に、当該スライド部材５に対して前後動自在に収納され、円筒状のシリンダー１７と、シリンダー１７の後端開口部１７ａに挿入されシリンダー１７に対して前後に摺動可能に係着したピストン１８と、ピストン１８の側面に嵌着されたＯリング１９と、シリンダー１７とピストン１８の間に張架した第２コイルスプリング１５（第二弾発体）とで構成してある。
尚、加圧機構７は、スライド部材５のストッパー５ｂにより前方への移動を制限してある。
【００２５】
シリンダー１７について詳述すると、図４に示すように、シリンダー１７は前後に貫通する段状に形成された内孔１７ｂを有しており、シリンダー１７の外周面には、内孔１７ｂまで貫通する空気孔１７ｃを形成してある。
また、シリンダー１７の内孔１７ｂには、シリンダー１７の内側部１７ｄとピストン１８の前端とＯリング１９とにより囲まれた加圧空間２０（加圧室）が形成され、加圧空間２０は空気孔１７ｃによりシリンダー１７の外部と通気させてある。
【００２６】
更に、シリンダー１７の前部１７ｅは中央部１７ｆより小径で形成してあり、前部１７ｅには外方へ向かって円周状に突出する装着部１７ｇが軸方向に沿って２箇所形成してある。また、ボールペンレフィル８の後端内周部８ｂはシリンダー１７の装着部１７ｇに着脱自在に装着してあり、加圧空間２０はシリンダー１７の内孔１７ｂによりボールペンレフィル８の後部内孔８ｃまで連通してある。
尚、装着部１７ｇは、シリンダー１７にボールペンレフィル８を装着した際、シリンダー１７とボールペンレフィル８との間の気密が確保され、且つ、手で容易に着脱可能になるよう外方への突出量（外径）を調整してある。
一例として、シリンダー１７へのボールペンレフィル８の取り付け時に掛かる力は１０Ｎとすることができる。
【００２７】
ピストン１８について詳述すると、ピストン１８の外周部１８ａには外方へ向かって突出する凸部１８ｂが軸心を挟んで対称に２箇所形成してある。そして、凸部１８ｂをシリンダー１７の中央部１７ｆに軸心に沿って延びるように形成した窓部１７ｈに、前後方向に摺動自在に係止してある。
【００２８】
更に、ピストン１８の外周部１８ａには軸周方向に延びる凹状の凹状部１８ｃが形成してあり、凹状部１８ｃには合成ゴムで形成したＯリング（密閉部材）１９を嵌着してある。このＯリング１９の外側部はシリンダー１７の内側部１７ｄに摺接しており、シリンダー１７の後端開口部１７ａをピストン１８とＯリング１９とで空気が漏れないように密閉してある。また、ピストン１８の後端面には前方へ向って凹状に形成された後方内孔１８ｄを設けてある。
尚、シリンダー１７が後退した際、シリンダー１７の後端にスライド部材５の内段部５ｅが当接することで、シリンダー１７の後退を制限してある。
【００２９】
第２コイルスプリング１５（第二弾発体）について詳述すると、第２コイルスプリング１５はシリンダー１７の内方段部１７ｉとピストン１８の前段部１８ｅとの間に張架してあり、ピストン１８に対してシリンダー１７を前方に弾発してある。
【００３０】
尚、加圧空間２０は、シリンダー１７の前後への摺動によりＯリング１９の位置がシリンダー１７の空気孔１７ｃより前方にあるときは密閉状態となり、Ｏリング１９の位置が空気孔１７ｃより後方にあるときは、加圧空間２０とシリンダー１７の外部とが空気孔１７ｃにより通気され非密閉状態となる。
【００３１】
次に、ノック体６について詳述すると、図１から図３に示すように、ノック体６は円筒状に形成されたノブ２１と棒状の前部材２２とで構成してある。図示された例では、ノック体６は、軸筒４の後端より突出するように配設されている。
【００３２】
前部材２２は前部２２ａの外側面に外方に向って突出する突起部２２ｂを形成してあり、突起部２２ｂには前端に円弧状の係止部２２ｃを形成してある。
また、後部２２ｄはノブ２１の後部内孔２１ａに挿入することで、前部材２２とノブ２１とを着脱不能に圧入装着してある。
【００３３】
ノブ２１は、外側面に軸心方向に延びる複数の溝部２１ｂを均等間隔で形成してあり、溝部２１ｂによりノック体６を手で掴んだ際に滑り難くしてある。
また、溝部２１ｂは、ノック体６を前方へ押圧したノック時には、後軸２のレール部２ｇに係止することでノック体６が回動不能となるようにしてある。
【００３４】
更に、前部材２２とノブ２１とを圧入装着する際、前部材２２の側面に形成した段部２２ｅとノブ２１の内段部２１ｃとの間にスライド部材５の後部に小径に形成した後段部５ｃを配設することで、スライド部材５に対してノック体６を回動自在に係止してある。このため、ノック体６はスライド部材５と共に軸筒４に対して前後動自在に構成される。
【００３５】
また、前部材２２の突起部２２ｂとピストン１８の後端との間に、筒状に形成したカム部材２３を配設してあり、カム部材２３には、後端面から前方へ向って傾斜して延びるカム斜面２３ａが形成してあり、カム斜面２３ａは複数の段部２３ｂを備えた段状に形成してある。図示された例では、カム部材２３は、ノック体６（前部材２２）に対して前後動自在に係止されている。そして、第２コイルスプリング１５により後方へ弾発されたピストン１８の後端はカム部材２３の前端に当接してカム部材２３を後方へ弾発し、カム斜面２３ａが前部材２２の突起部２２ｂの係止部２２ｃに当接することでカム部材２３の後方へ移動を制限してある。
【００３６】
そして、カム部材２３の段部２３ｂには、軸方向における前方側に凹む曲面で形成した凹部２３ｃを形成してあり、凹部２３ｃと前部材２２の突起部２２ｂの係止部２２ｃとの曲率を合わせることで、しっかりと係止するように形成してある。
更に、カム部材２３の外周面には外方へ向って突出し前後方向に延びる摺動突起２３ｄを形成してあり、摺動突起２３ｄをスライド部材５のカム用側孔５ｄに前後動自在に挿入することで、スライド部材５に対してカム部材２３を前後動可能且つ回動不能に装着してある。
【００３７】
尚、スライド部材５とノック体６とカム部材２３とで加圧力調整機構２４が構成され、ノック体６を回動することでカム部材２３が前後動するようにしてある。
【００３８】
ここで、第１コイルスプリング１４と第２コイルスプリング１５の弾発力の関係について説明を行う。
図１の非ノック時においては、第１コイルスプリング１４の弾発力＜第２コイルスプリング１５の弾発力を満たすように調整してあり、ノック体６を前方へ押圧した図５の状態（ノック時）では、第１コイルスプリング１４の弾発力＞第２コイルスプリング１５の弾発力となるよう各スプリングの弾発力を調整してある。
【００３９】
次に、図１及び図５を用いて、ノック体６を前方へ押圧（ノック操作）することで、ボールペンレフィル８の筆記先端であるボールペンチップ１３を前軸３の前端開口部３ａから出没させると共に、ボールペンレフィル８内のインキ１１の後端にインキ追従体１２を介して圧力をかける状態を説明する。
図１の状態からノック体６を前方へ押圧（図１の矢印Ｆ方向）すると、カム部材２３を介してノック体６に押されたスライド部材５及びピストン１８が前進する。その際、非ノック時は第２コイルスプリング１５の弾発力は、第１コイルスプリング１４の弾発力より大きく設定してあることから、第２コイルスプリング１５は圧縮されることなく加圧空間２０は非加圧状態のままシリンダー１７と共にボールペンレフィル８が前方に押圧されて前進する。そして、ボールペンレフィル８に押されて、第１コイルスプリング１４が圧縮し、当該第１コイルスプリング１４の弾発力が第２コイルスプリング１５の弾発力より大きくなることでシリンダー１７の前進が止まる。更にノック体６がスライド部材５と共に前進し、スライド部材５の内段部５ｅがシリンダー１７の後端に当接すると、シリンダー１７がボールペンレフィル８と共に再びノック体６に押されて前進し、前軸３の前端開口部３ａからボールペンチップ１３の前端が突出される。そこで、スライド部材５の掛止突起５ａが、後軸２の側面に配置したクリップ９の先端部の被掛止部９ｃに掛止することで、ボールペンチップ１３の前端を、前軸３（軸筒４）の前端開口部３ａから突出した状態を維持させる図５の状態となる。
【００４０】
この時、加圧機構７においては、シリンダー１７の前進が止まった際、シリンダー１７に対してピストン１８が前進して第２コイルスプリング１５が縮み、シリンダー１７の空気孔１７ｃよりＯリング１９の位置が前方へ移動し、Ｏリング１９により加圧空間２０を密閉する。さらに、ピストン１８が前方へ移動すると、第２コイルスプリング１５を更に圧縮させ、ボールペンレフィル８の後部内孔８ｃ及び加圧空間２０を圧縮させ、すなわち加圧空間２０の容積を減少させ、ボールペンレフィル８内のインキ１１の後端にインキ追従体１２を介して圧力を加える状態となる。この場合、加圧式筆記具１は、ノック体６を回動することで、筆記時及び非筆記時のいずれにおいても加圧空間（加圧室）２０の容積が減少するように、調整される。
【００４１】
そして、クリップ９の後端部を押圧（図５の矢印Ｇ方向）し、クリップ９の被掛止部９ｃに係止したスライド部材５の掛止突起５ａの掛止状態を解除すると、第１コイルスプリング１４の弾発力によって、ボールペンレフィル８、シリンダー１７、ピストン１８及びノック体６が後方に移動して、ボールペンチップ１３の前端を前軸３の前端開口部３ａ内に没入させ、且つ、第２コイルスプリング１５により加圧空間２０の圧縮状態が解除されて図１の非ノック状態に戻る。
【００４２】
更に、本実施形態では、図１の非ノック状態時にノック体６を後軸２に対して回動することでインキ１１に掛かる加圧力を調整することができ、図６Ａの状態から、ノック体６を回動させて、図６Ｂ、図６Ｃと前部材２２の突起部２２ｂとカム部材２３の段部２３ｂとの当接位置を段階的にずらすことで、前部材２２の突起部２２ｂとピストン１８との距離が短くなり、ノック体６を前方へ押圧した際のスライド部材５に対するピストン１８の前進位置を後退させることができる。このため、加圧空間２０に掛かる圧力を段階的に下げることが可能となる。すなわち、本実施形態の加圧力調整機構２４では、ノック体６を回動することでカム部材２３を前後動させ、加圧空間２０の容積を増減させる。尚、本実施形態では、図６Ｃの状態において、加圧空間２０が全く圧縮されないように調整してあるため、通常の非加圧式の筆記具としても使用することができる。
加えて、ノック体６を回動させた際、前部材２２の突起部２２ｂの係止部２２ｃとカム部材２３の凹部２３ｃとが係止することで係止音が発生するように形成してあり、使用者は加圧力が段階的に切り替わっていくことを触感と音で認識することができる。
【００４３】
また、前述したように、ノック体６を前進させた際、ノブ２１の溝部２１ｂが後軸２のレール部２ｇに係止されることで、ノック時（筆記状態）はノック体６の回動ができなくなる。このため、筆記する際に使用者の意図に反してノック体６が回動することを防止でき、安定した筆跡での筆記が可能である。
尚、本実施形態では係止部２２ｃと凹部２３ｃが係止しているときに、レール部２ｇと溝部２１ｂの軸方向から見たときの位置が一致するよう構成してあり、ノック体６を回動して係止部２２ｃを別の凹部に係止しても、ノック時に溝部２１ｂがレール部２ｇに当たることなく係止されるよう構成してある。
【００４４】
以上により、本実施形態では、ノック体６を回動して加圧力調整機構２４を作動させ、加圧力設定を切り替えた状態でノック体６の押圧が可能であるため、インキ１１に掛かる加圧力設定を維持した状態で筆記状態と非筆記状態とをノック操作により容易に切り替え可能な加圧式筆記具１を提供することができた。
【００４５】
また、加圧式筆記具１は、前軸３を後軸２に対して回転することで、後軸２から前軸３を取り外すことができ、その状態でボールペンリフィル８を前方へ引っ張ると、シリンダー１７はスライド部材５のストッパー５ｂにより前進できないため、ボールペンレフィル８をシリンダー１７から引き抜くことで、容易にボールペンレフィル８の交換ができ、更に、第１コイルスプリング１４も前軸から容易に取り出せるため交換することができる。
この際、ノック時における第１コイルスプリング１４の弾発力が第２コイルスプリング１５の弾発力より高くなるように、第１コイルスプリング１４を弾発力が小さい第１コイルスプリング３４に交換することで、加圧式筆記具１の加圧方式をノック加圧式から筆圧加圧式に変更することができる。
【００４６】
本実施形態の加圧式筆記具１は、筆記具用インキ組成物１１が充填されたレフィル８を内部に収容可能な軸筒４と、筆記具用インキ組成物１１に圧力を加える加圧機構７と、を備え、レフィル８の前端部が軸筒４の前端開口部３ａから突出した筆記状態と、レフィル８の前端部が軸筒４の前端開口部３ａから没入した非筆記状態と、を切り換え可能な加圧式筆記具１であって、圧力を調整する加圧力調整機構２４を有する。
【００４７】
このような加圧式筆記具１によれば、筆記状態と非筆記状態とを切り換え可能な加圧式筆記具１において、レフィル８内に充填された筆記具用インキ組成物１１に作用する圧力を、使用者の好みに応じて調整することが可能になる。例えば図６Ｂに示したように加圧式筆記具１を筆記具用インキ組成物１１に圧力が作用するように調整した場合には、図６Ｃに示したように加圧式筆記具１を筆記具用インキ組成物１１に圧力が作用しないように調整した場合と比較して、筆記時に紙等の被筆記面上に付着する筆記具用インキ組成物１１の量を増加させることができる。これにより、加圧式筆記具１による筆跡の色を濃くすること及び／又は筆跡を太くすることができる。また、図６Ａに示したように加圧式筆記具１を筆記具用インキ組成物１１にさらに高い圧力が作用するように調整した場合には、図６Ｂに示した場合と比較して、筆記時に紙等の被筆記面上に付着する筆記具用インキ組成物１１の量をさらに増加させることができる。これにより、加圧式筆記具１による筆跡の色をさらに濃くすること及び／又は筆跡をさらに太くすることができる。
【００４８】
本実施形態の加圧式筆記具１は、軸筒４内に、筆記具用インキ組成物１１を充填したインキ収容筒１０と、インキ収容筒１０の前方部にボールペンチップ１３と、を具備したボールペンレフィル８を収容してなり、ボールペンレフィル８の後方に、筆記具用インキ組成物１１の後端に連通する加圧室２０と、加圧室２０に圧力を加える加圧機構７とが配設され、加圧機構７の後方に配設したノック体６を前方へ押圧することにより、軸筒４の前端開口部３ａからボールペンレフィル８の前端が突出するよう構成した加圧式筆記具１であって、ノック体６の前方にカム部材２３が配設され、加圧機構７の後方に、ノック体６を回動することで少なくとも筆記時における加圧室２０の容積を増減させる加圧力調整機構２４を具備し、ボールペンレフィル８の外段部８ａと軸筒４の内段部３ｂとの間に第一弾発体１４を配設して軸筒４に対してボールペンレフィル８を後方へ弾発し、ノック体６を前方へ押圧すること、または、筆記時の筆圧によりボールペンレフィル８が後退することで加圧機構７を作動させ、筆記具用インキ組成物１１の後端に圧力を掛けると共に、加圧力調整機構２４により筆記具用インキ組成物１１の後端に掛かる圧力を調整可能に構成される。
【００４９】
このような加圧式筆記具１によれば、ノック体６を前方へ押圧（ノック操作）することにより容易に筆記状態と非筆記状態とを切り替えることができる。更に、ノック体６を回動することで加圧力調整機構２４を作動させ、筆記具用インキ組成物１１の後端に掛ける圧力を調整することで、筆跡の太さや、筆跡濃度を使用者の好みに合わせて調整することができる。
また、筆記具用インキ組成物１１の後端に圧力を掛ける加圧機構７を作動させる手段としては、ノック体６を押圧することで作動させて加圧するノック加圧式を採用してもよく、筆記する際の筆圧により作動させて加圧する筆圧加圧式を採用してもよい。
【００５０】
また、ノック体６とカム部材２３との係止手段としては、例えば、ノック体６の側面に外方へ向って突出する突起部２２ｂを形成し、カム部材２３の後部にカム斜面２３ａを形成し、ノック体６の回動により、突起部２２ｂがカム斜面２３ａに沿って摺動することでカム部材２３を前後動するように構成してもよく、ノック体６の前面にカム斜面を形成し、カム部材２３の側面に外方へ向って突出する突起部を形成し、ノック体６を回動することでカム斜面を突起部に対して摺動させ、カム部材２３が前後動するように構成してもよい。
尚、カム部材２３は、該カム部材２３の前後動により加圧機構７を押圧できれば該加圧機構７と当接していてもよく、当該加圧機構７の一部と一体に形成してもよい。
【００５１】
また、ノック体６とカム部材２３との係止手段にカム構成を用いる場合には、カム部材２３またはノック体６に形成するカム斜面には複数の段部を設けることが好ましく、ノック体６を回動させた際の加圧力の調整を段階的に切り替え可能とすることで、使用者が加圧力を調整し易くなる効果を奏する。
更に、ノック体６の外面に表示部を設け、段部とノック体６の突起部２２ｂと当接した際に、ノック体６の表示部と軸筒外面に設けた表示部とが一致した状態がそのときの加圧力の強さを表すよう構成してもよい。
【００５２】
また、複数の段部２３ｂは、前方または後方へ向って凹状に形成された凹部２３ｃを設けてもよく、この場合、突起部２２ｂの先端が凹部２３ｃと係止するよう構成することで、ノック体６が簡単には回動しなくなり、使用者の意図に反して加圧力の設定が変わってしまうことを防ぐことができる。
尚、突起部２２ｂと凹部２３ｃとが係止する際に音が発生するよう構成することで、加圧力が切り替ったことを認識できるため好ましい。
【００５３】
本実施形態の加圧式筆記具１は、ノック体６の外方に、軸筒４に対して前後動自在に形成したスライド部材５が配設され、スライド部材５に対してノック体６を回動自在且つ前後動不能に係止すると共に、スライド部材５に対してカム部材２３を前後動自在且つ回動不能に係止し、スライド部材５とノック体６とカム部材２３とで加圧力調整機構２４を構成される。
【００５４】
このような加圧式筆記具１によれば、ノック体６の前後動（ノック操作）によるボールペンレフィル８の出没と、ノック体６の回動により加圧力調整機構２４を作動させ加圧力を調整する動作とを別々に実行できるようになる。このため、加圧力を毎回調整することなく、筆記状態と非筆記状態とを容易に切り替えることができる。
【００５５】
本実施形態の加圧式筆記具１では、加圧機構７は、インキ収容筒１０の後端部に連結し内外を連通する空気孔１７ｃを有するシリンダー１７と、シリンダー１７の後端開口部１７ａにシリンダー１７に対し前後動可能に配設したピストン１８と、シリンダー１７の空気孔１７ｃを閉鎖する密閉部材１９と、シリンダー１７とピストン１８の間に配設されシリンダー１７を前方に弾発する第二弾発体１５と、シリンダー１７の内壁とピストン１８の前端との間に形成されインキ収容筒１０の後端開口部１７ａ内に連通する加圧室２０と、が具備され、ボールペンレフィル８が軸筒４内にある非ノック時においては、第二弾発体１５の弾発力より第一弾発体１４の弾発力が小さくなるよう構成される。
【００５６】
このような加圧式筆記具１によれば、非ノック時は第二弾発体（第２コイルスプリング）１５によってシリンダー１７が前方へ押圧されるため、筆記具用インキ組成物１１に圧力が掛かることがない。このため、ボールペンチップ１３の先端からのインキ漏れを防止できる。
【００５７】
本実施形態の加圧式筆記具１は、ノック体６を前方へ押圧し、ボールペンレフィル８を軸筒４の前端開口部３ａから突出させたノック時においては、第二弾発体１５の弾発力より第一弾発体１４の弾発力が大きくなるように構成される。
【００５８】
このような加圧式筆記具１によれば、第一弾発体（第１コイルスプリング）１４により後方へ押されたボールペンレフィル８がシリンダー１７を押すことでシリンダー１７内の加圧室（加圧空間）２０が加圧される。このため、ノック操作によりすぐに筆記具用インキ組成物１１が加圧されることから、筆記開始から加圧力を増加させた状態で筆記することができるノック加圧式の筆記具として使用することができる。
【００５９】
このノック加圧式においては、ノック体６を前方へ押圧したノック時は当該ノック体６を回動不能に構成してもよく、この場合、使用時にノック体６に手が触れるなどしてノック体６が使用者の意に反して回動することを防ぐことができる。このため、筆記具用インキ組成物１１の後端に掛かる圧力が変わらなくなり、安定した筆跡で筆記することができる。
【００６０】
更に、ノック加圧式においては、筆記を継続することで徐々にボールペンレフィル８内の筆記具用インキ組成物１１が減るため、当該筆記具用インキ組成物１１の後端に掛かる加圧力が低下する。このため、ノック時にノック体６を回動自在に構成することで、筆記することで下がった圧力をノックした状態のまま再度上げることができる。
尚、筆記することで加圧室（加圧空間）２０内の圧力が下がった状態で、圧力が更に下がる方向にノック体６を回転すると、加圧室２０内が外気に比べて負圧になることから、ボールペンレフィル８の先端から空気がボールペンレフィル８内部に入り込み、空気に邪魔されてインキ１１が前進できず筆記不能になる虞がある。このため、ノック時においては、圧力が上がる側にのみノック体６が回転するよう構成することが好ましい。
【００６１】
なお、上述した第１実施形態に対して様々な変更を加えることが可能である。以下、必要に応じて図面を参照しながら、変形例について説明する。以下の説明及び以下の説明で用いる図面では、第１実施形態と同様に構成され得る部分について、第１実施形態における対応する部分に対して用いた符号と同一の符号を用いることとし、重複する説明を省略する。また、第１実施形態において得られる作用効果が変形例においても得られることが明らかである場合、その説明を省略することもある。
【００６２】
本変形例における加圧式筆記具３０では、第１コイルスプリング３４の弾発力と第２コイルスプリング１５の弾発力とを、図６Ａ〜図６Ｃの取り付け時（非ノック時）においては、第１コイルスプリング３４＜第２コイルスプリング１５を満たすように調整してあり、図７のノック体６を前方へ押圧したノック時でも、第１コイルスプリング３４＜第２コイルスプリング１５となるよう弾発力を調整してある。
【００６３】
次に、ノック体６を前方へ押圧（ノック操作）することで、ボールペンレフィル８の筆記先端であるボールペンチップ１３を前軸３の前端開口部３ａから出没させる状態を説明する。
図７の状態からノック体６を前方へ押圧（図７の矢印Ｆ方向）すると、カム部材２３を介してノック体６に押されたピストン１８が前進する。その際、第２コイルスプリング１５の弾発力は、常に第１コイルスプリング３４の弾発力より大きくなるよう設定してあることから、第２コイルスプリング１５は圧縮されることなく加圧空間２０は非加圧状態のままシリンダー１７と共にボールペンレフィル８が前方に押圧されて前進し、前軸３の前端開口部３ａからボールペンチップ１３の前端が突出する。そこで、スライド部材５の掛止突起５ａが、後軸２の側面に配置したクリップ９の先端部の被掛止部９ｃに掛止することで、ボールペンチップ１３の前端を、前軸３（軸筒４）の前端開口部３ａから突出した状態を維持させる図８の状態となる。
尚、シリンダー１７及びボールペンレフィル８の前進は、ピストン１８の凸部１８ｂがシリンダー１７の窓部後端１７ｊに当接することで規制されて止まるようにしてある。
ここで、クリップ９の後端部を押圧（図８の矢印Ｇ方向）し、クリップ９の被掛止部９ｃに掛止したスライド部材５の掛止突起５ａの掛止状態を解除すると、第１コイルスプリング３４の弾発力によって、ボールペンレフィル８、シリンダー１７、ピストン１８及びノック体６が後方に移動して図７の状態に戻る。
【００６４】
次に、本変形例において、筆記する際の筆記圧で、インキ追従体１２を介してボールペンレフィル８内のインキ１１の後端に圧力をかける状態を説明する。
図９に示すように、ボールペンチップ１３の前端が、前軸３の前端開口部３ａから突出した状態で筆記を行い筆圧が掛かると、カム部材２３に当接しているピストン１８は後方への移動ができないため、第２コイルスプリング１５の弾発力に抗してボールペンレフィル８とシリンダー１７とが連動して後方（矢印Ｈ方向）に移動する。具体的には、先ず、第２コイルスプリング１５が圧縮し、シリンダー１７が後方へ移動すると、シリンダー１７の空気孔１７ｃがＯリング１９の位置より後方へ移動し、Ｏリング１９により加圧空間２０を密閉する。さらに、シリンダー１７が後方へ移動すると、第２コイルスプリング１５を更に圧縮し、ボールペンレフィル８の後部内孔８ｃ及び加圧空間２０を圧縮させ、ボールペンレフィル８内のインキ１１の後端にインキ追従体１２を介して圧力を加える図１０の状態となる。この場合、加圧式筆記具３０は、ノック体６を回動することで、図１０に示すように、筆記時において加圧空間（加圧室）２０の容積が減少するように、調整される。
【００６５】
また、筆圧を解除すると、第２コイルスプリング１５の弾発力により、シリンダー１７及びボールペンレフィル８が前方（元の位置）に移動する。その際、シリンダー１７の空気孔１７ｃの位置がＯリング１９まで達すると、空気孔１７ｃが開放されて加圧空間２０及びボールペンレフィル８の後部内孔８ｃの密閉を解除して、大気圧と同圧になり、図９の状態に戻る。
【００６６】
尚、本変形例でも、上述した第１実施形態同様、ノック体６を後軸２に対して回動させることでインキ１１に掛かる加圧力を調整することが可能である。
また、本変形例では、ノック体６を前方へ押圧するノック時では加圧機構７は作動せず、インキ１１は加圧されない状態であるため、ノックした状態で保管した際でもボールペンチップ１３の前端からインキ１１が漏れることを防止することができた。
【００６７】
本変形例の加圧式筆記具３０は、ノック体６を前方へ押圧し、ボールペンレフィル８を軸筒４の前端開口部３ａから突出させたノック時においては、第二弾発体１５の弾発力より第一弾発体３４の弾発力が小さくなるように構成される。
【００６８】
このような加圧式筆記具３０によれば、第二弾発体（第２コイルスプリング）１５により前方へ押圧されたシリンダー１７及びレフィル８が第一弾発体（第１コイルスプリング）３４の弾発力に抗して前進するため、ノック状態でもシリンダー１７内の加圧室（加圧空間）２０が加圧されることはない。このため、筆記を開始してボールペンレフィル８の先端に筆圧が掛かると、筆圧に押されたボールペンレフィル８が第二弾発体１５の弾発力に抗して後退することでシリンダー１７も同時に後退し、シリンダー１７内の加圧室２０が加圧され筆記具用インキ組成物１１の後端に圧力が掛かる筆圧加圧式として使用することができる。
尚、筆圧加圧式では筆圧が掛かった時のみ筆記具用インキ組成物１１の後端に圧力が掛かるため、ノック体６を前方へ押圧（ノック操作）した状態で、保管または放置しても筆記具用インキ組成物１１には圧力が掛かることはない。このため、ボールペンレフィル８の前端からのインキ漏れを防止できる。
【００６９】
本発明では、第一弾発体３４は交換可能に構成することが好ましく、第一弾発体３４の弾発力と第二弾発体１５の弾発力との強さの関係を逆にすることで加圧方式をノック加圧式と筆圧加圧式のどちらにも容易に変更することができる。すなわち、本発明の加圧式筆記具１は、第１コイルスプリング（第一弾発体）３４を付け替え、ノック時における第１コイルスプリング（第一弾発体）３４の弾発力と第２コイルスプリング（第二弾発体）１５の弾発力との強さの関係を入れ替えることで、ノック操作によりインキ１１が加圧される方式（ノック加圧式）と、筆圧を掛けることでインキ１１が加圧される方式（筆圧加圧式）と、を切り替えることができる。
【００７０】
〔第２実施形態〕
本実施形態の加圧式筆記具１０１は、図１１から図１５に示すように、後軸１０２の前方に前軸１０３を螺合することで軸筒１０４を形成してあり、軸筒１０４内に前後動可能に配設されたスライド部材１０５と、スライド部材１０５の後部に係止されたノック体１０６と、スライド部材１０５内に配設された加圧機構１０７と、加圧機構１０７の前部に装着され軸筒１０４内を前後に摺動可能なレフィル（ボールペンレフィル）１０８と、後軸１０２の側面に回動自在に係止されたクリップ１０９と、により構成してある。
【００７１】
ボールペンレフィル１０８は、ＰＰ樹脂からなる透明のインキ収容筒１１０に、筆記具用のインキ組成物であるインキ１１１及び当該インキ１１１の後端にインキ１１１の消費に伴い追従するグリース状のインキ追従体１１２を直接収容し、インキ収容筒１１０の前端開口部に、ボール（φ０．３８ｍｍ）を回動自在に抱持したボールペンチップ１１３の後端部を圧入嵌合して得たものである。
【００７２】
前軸１０３（軸筒１０４）は、図１１に示すように、前端にボールペンレフィル１０８のボールペンチップ１１３が突出可能な前端開口部１０３ａが形成されている。また、前軸１０３（軸筒１０４）の内面に形成した内段部１０３ｂとボールペンレフィル１０８の外周面に形成した外段部１０８ａとの間に第１コイルスプリング１１４（第一弾発体）１１４を圧縮状態で張架し、軸筒１０４に対してボールペンレフィル１０８を後方に弾発してある。
【００７３】
後軸１０２（軸筒１０４）は筒状に形成してあり、図１２に示すように、外側面１０２ａに軸方向に沿って延び、内孔まで貫通する側孔１０２ｂが形成してある。また、外側面１０２ａには外方へ向って突出するクリップ係止部１０２ｃが形成してあり、クリップ係止部１０２ｃはクリップ用係止突起１０２ｄとスプリング用係止突起１０２ｅにより構成してある。そして、クリップ用係止突起１０２ｄには軸方向に対して直交する方向に係止孔１０２ｆを形成してある。
【００７４】
スライド部材１０５は、図１１〜図１３に示すように、外周部に外方へ向って突出する掛止部１０５ａを形成してあり、掛止部１０５ａを後軸１０２の側孔１０２ｂに配置することで、後軸１０２に対してスライド部材１０５を前後に摺動自在且つ回動不能に装着してある。
また、スライド部材１０５の前部内孔には内方へ向って突出する複数の突起状のストッパー１０５ｂが形成してあり、スライド部材１０５の後端は内径が小さくなっている後段部１０５ｃが形成してある。
更に、スライド部材１０５の後部外側面には軸方向に沿って延びる摺動部材用側孔１０５ｄが形成してある。
【００７５】
クリップ１０９は、図１１及び図１２に示すように、後軸１０２のスプリング用係止突起１０２ｅと、クリップ１０９の内壁部に軸筒１０４側に突出するように形成した内突起１０９ａとの間にクリップ用スプリング１１６を配設し、クリップ１０９の内側壁に形成した係止軸部１０９ｂを係止孔１０２ｆに係止することで、クリップ１０９の先端部を、後軸１０２の外壁面側に常時弾発するよう張架してある。また、クリップ１０９の後端部を押圧（図１２の矢印Ｇ方向）することにより、クリップ１０９と後軸１０２との係止軸Ｒを支点とし、クリップ１０９の先端部を後軸１０２の外壁面から離間可能な可動式クリップとして構成してある。
尚、クリップ１０９の前部には、基部１０９ｄから軸筒１０４側に延び、スライド部材１０５の側面に形成した掛止部１０５ａと掛止する被掛止部１０９ｃを形成してある。
【００７６】
加圧機構１０７は、図１１、図１２、図１４に示すように、ボールペンレフィル１０８の後方且つスライド部材１０５の内方に、当該スライド部材１０５に対して前後動自在に収納され、円筒状のシリンダー１１７と、シリンダー１１７の後端開口部１１７ａに挿入されシリンダー１１７に対して前後に摺動可能に係着したピストン１１８と、ピストン１１８の側面に嵌着されたＯリング１１９と、シリンダー１１７とピストン１１８の間に張架した第２コイルスプリング１１５（第二弾発体）１１５とで構成してある。
尚、加圧機構１０７は、スライド部材１０５のストッパー１０５ｂにより前方への移動を制限してある。
【００７７】
シリンダー１１７について詳述すると、図１４に示すように、シリンダー１１７は前後に貫通する段状に形成された内孔１１７ｂを形成してあり、シリンダー１１７の外周面には、内孔１１７ｂまで貫通する空気孔１１７ｃを形成してある。
また、シリンダー１１７の内孔１１７ｂには、シリンダー１１７の内側部１１７ｄとピストン１１８の前端とＯリング１１９とにより囲まれた加圧空間１２０（加圧室）１２０が形成され、加圧空間１２０は空気孔１１７ｃによりシリンダー１１７の外部と通気させてある
【００７８】
更に、シリンダー１１７の前部１１７ｅは中央部１１７ｆより小径で形成してあり、前部１１７ｅには外方へ向かって円周状に突出する装着部１１７ｇが軸方向に沿って２箇所形成してある。また、ボールペンレフィル１０８の後端内周部１０８ｂはシリンダー１１７の装着部１１７ｇに着脱自在に装着してあり、加圧空間１２０はシリンダー１１７の内孔１１７ｂによりボールペンレフィル１０８の後部内孔１０８ｃまで連通してある。
尚、装着部１１７ｇは、シリンダー１１７にボールペンレフィル１０８を装着した際、シリンダー１１７とボールペンレフィル１０８との間の気密が確保され、且つ、手で容易に着脱可能になるよう外方への突出量（外径）を調整してある。
一例として、シリンダー１１７へのボールペンレフィル１０８の取り付け時に掛かる力は１０Ｎとすることができる。
【００７９】
ピストン１１８について詳述すると、ピストン１１８の外周部１１８ａには外方へ向かって突出する凸部１１８ｂが軸心を挟んで対称に２箇所形成してある。そして、凸部１１８ｂをシリンダー１１７の中央部１１７ｆに軸心に沿って延びるように形成した窓部１１７ｈに、前後方向に摺動自在に係止してある。
【００８０】
更に、ピストン１１８の外周部１１８ａには軸周方向に延びる凹状の凹状部１１８ｃが形成してあり、凹状部１１８ｃには合成ゴムで形成したＯリング（密閉部材）１１９を嵌着してある。そして、Ｏリング１１９の外側部はシリンダー１１７の内側部１１７ｄに摺接しており、シリンダー１１７の後端開口部１１７ａをピストン１１８とＯリング１１９とで空気が漏れないように密閉してある。また、ピストン１１８の後端面には前方へ向って凹状に形成された後方内孔１１８ｄを設けてある。
尚、シリンダー１１７が後退した際、シリンダー１１７の後端にスライド部材１０５の内段部１０５ｅが当接することで、シリンダー１１７の後退を制限してある。
【００８１】
第２コイルスプリング１１５（第二弾発体）１１５について詳述すると、第２コイルスプリング１１５はシリンダー１１７の内方段部１１７ｉとピストン１１８の前段部１１８ｅとの間に張架してあり、ピストン１１８に対してシリンダー１１７を前方に弾発してある。
【００８２】
尚、加圧空間１２０は、シリンダー１１７の前後への摺動によりＯリング１１９の位置がシリンダー１１７の空気孔１１７ｃより前方にあるときは密閉状態となり、Ｏリング１１９の位置が空気孔１１７ｃより後方にあるときは、加圧空間１２０とシリンダー１１７の外部とが空気孔１１７ｃにより通気され非密閉状態となる。
【００８３】
次に、ノック体１０６について詳述すると、図１１から図１３に示すように、ノック体１０６は円筒状に形成されたノブ１２１と棒状の前部材１２２とで構成してある。
【００８４】
前部材１２２は前部１２２ａの外側面に雄螺子部１２２ｂを形成してあり、後部１２２ｃはノブ１２１の後部内孔１２１ａに挿入することで、前部材１２２とノブ１２１とを着脱不能に圧入装着してある。
【００８５】
ノブ１２１は、外側面に軸心方向に延びる複数の溝部１２１ｂを均等間隔で形成してあり、溝部１２１ｂによりノック体１０６を手で掴んだ際に滑り難くしてある。
【００８６】
更に、前部材１２２とノブ１２１とを圧入装着する際、前部材１２２の側面に形成した鍔部１２２ｄとノブ１２１の内段部１２１ｃとの間にスライド部材１０５の後部に小径に形成した後段部１０５ｃを配設することで、スライド部材１０５に対してノック体１０６を回動自在に係止してある。このため、ノック体１０６はスライド部材１０５と共に軸筒１０４に対して前後動自在に構成される。
【００８７】
また、前部材１２２の鍔部１２２ｄとピストン１１８の後端との間に、筒状に形成した摺動部材１２３を配設してあり、摺動部材１２３の内面には、前部材１２２の雄螺子部１２２ｂと螺合する雌螺子部１２３ａを形成してある。
更に、摺動部材１２３の外周面には外方へ向って突出し前後方向に延びる摺動突起１２３ｂを形成してあり、摺動突起１２３ｂをスライド部材１０５の摺動部材用側孔１０５ｄに前後動自在に挿入することで、スライド部材１０５に対して摺動部材１２３を前後動可能且つ回動不能に装着してある。
【００８８】
尚、スライド部材１０５とノック体１０６と摺動部材１２３とで、ノック体１０６を前方へ押圧するノック操作によりボールペンレフィル１０８の前端を前軸１０３の前端開口部１０３ａに対して出没させる出没機構１２４が構成され、出没機構１２４のノック体１０６を回動することにより、摺動部材１２３が前後動して加圧空間１２０の圧力を調整することができる。
【００８９】
ここで、第１コイルスプリング１１４と第２コイルスプリング１１５の弾発力の関係について説明を行う。
図１１の取り付け時（非ノック時）においては、第１コイルスプリング１１４＜第２コイルスプリング１１５を満たすように調整してあり、ノック体１０６を前方へ押圧した図１５の状態（ノック操作時）でも、第１コイルスプリング１１４＜第２コイルスプリング１１５となるよう各スプリングの弾発力を調整してある。
【００９０】
次に、ノック体１０６を前方へ押圧（ノック操作）することで、ボールペンレフィル１０８の筆記先端であるボールペンチップ１１３を前軸１０３の前端開口部１０３ａから出没させる状態を説明する。
図１１の状態からノック体１０６を前方へ押圧（図１１の矢印Ｆ方向）すると、摺動部材１２３を介してノック体１０６に押されたピストン１１８が前進する。その際、第２コイルスプリング１１５の弾発力は、常に第１コイルスプリング１１４の弾発力より大きくなるよう設定してあることから、第２コイルスプリング１１５は圧縮されることなく、加圧空間１２０が非加圧状態のままシリンダー１１７と共にボールペンレフィル１０８が前方に押圧されて前進し、前軸１０３の前端開口部１０３ａからボールペンチップ１１３の前端が突出する。そこで、スライド部材１０５の掛止部１０５ａが、後軸１０２の側面に配置したクリップ１０９の先端部の被掛止部１０９ｃに掛止することで、ボールペンチップ１１３の前端を、前軸１０３（軸筒１０４）の前端開口部１０３ａから突出した状態を維持させる図１５の状態となる。
尚、シリンダー１１７及びボールペンレフィル１０８の前進は、ピストン１１８の凸部１１８ｂがシリンダー１１７の窓部後端１１７ｊに当接することで規制されて止まるようにしてある。
【００９１】
ここで、クリップ１０９の後端部を押圧（図１５の矢印Ｇ方向）し、クリップ１０９の被掛止部１０９ｃに掛止したスライド部材１０５の掛止部１０５ａの掛止状態を解除すると、第１コイルスプリング１１４の弾発力によって、ボールペンレフィル１０８、シリンダー１１７、ピストン１１８及びノック体１０６が後方に移動して図１１の状態に戻る。
【００９２】
次に、本実施形態において、筆記する際の筆記圧で、インキ追従体１１２を介してボールペンレフィル１０８内のインキ１１１の後端に圧力をかける状態を説明する。
図１６に示すように、ボールペンチップ１１３の前端が、前軸１０３の前端開口部１０３ａから突出した図１５の状態で、軸筒１０４を傾けて保持し、ボールペンレフィル１０８の前端に筆圧を掛けると、摺動部材１２３に当接しているピストン１１８は後方への移動ができないため、第２コイルスプリング１１５の弾発力に抗してボールペンレフィル１０８とシリンダー１１７とが連動して後方（矢印Ｈ方向）に移動する。具体的には、先ず、第２コイルスプリング１１５が圧縮し、シリンダー１１７が後方へ移動すると、シリンダー１１７の空気孔１１７ｃがＯリング１１９の位置より後方へ移動し、Ｏリング１１９により加圧空間１２０を密閉する。さらに、シリンダー１１７が後方へ移動すると、第２コイルスプリング１１５を更に圧縮させ、ボールペンレフィル１０８の後部内孔１０８ｃ及び加圧空間１２０を圧縮させ、ボールペンレフィル１０８内のインキ１１１の後端にインキ追従体１１２を介して圧力を加える図１７の状態となる。
【００９３】
また、筆圧を解除すると、第２コイルスプリング１１５の弾発力により、シリンダー１１７及びボールペンレフィル１０８が前方（元の位置）に移動する。その際、シリンダー１１７の空気孔１１７ｃの位置がＯリング１１９まで達すると、空気孔１１７ｃが開放されて加圧空間１２０及びボールペンレフィル１０８の後部内孔１０８ｃの密閉を解除して、大気圧と同圧になり、図１６の状態に戻る。
【００９４】
更に、本実施形態では、図１１の非ノック状態時にノック体１０６を後軸１０２に対して回動することでインキ１１１に掛かる加圧力を調整することができ、図１８Ａの状態から、ノック体１０６を左に回転させると、前部材１２２に螺子嵌合している摺動部材１２３はスライド部材１０５に対して回動不能に係止していることから、ノック体１０６に対して摺動部材１２３が図１８Ｂ、図１８Ｃの位置に徐々に後退し、それに合わせてスライド部材１０５に対するピストン１１８の位置も後退する。このため、ノック体１０６を前方へ押圧した際、ピストン１１８の凸部１１８ｂがシリンダー１１７の窓部後端１１７ｊに当接することでシリンダー１１７の前進する長さも短くなり、シリンダー１１７の後端とスライド部材１０５の内段部１０５ｅとの隙間が小さくなる。その結果、筆圧が掛かった際にシリンダー１１７の後退できる長さが短くなるため、ノック体１０６を回動して図１８Ａの状態から図１８Ｃにすると、加圧空間１２０に掛かる圧力を徐々に下げることができる。尚、図１８Ｃの状態では、シリンダー１１７の後端とスライド部材１０５の内段部１０５ｅとの隙間がなくなるよう設定してあるため、シリンダー１１７が後退できず、加圧空間１２０が全く圧縮されないように調整してある。このため、本実施形態の加圧式筆記具１０１は通常の非加圧式の筆記具としても使用することができる。
【００９５】
以上により、本実施形態では、ノック体１０６を回動して加圧力設定を切り替えた状態でノック体１０６の押圧が可能であるため、インキ１１１の後端に掛かる加圧力設定を維持した状態で筆記状態と非筆記状態とをノック操作により容易に切り替え可能な加圧式筆記具１０１を提供することができた。
【００９６】
また、本実施形態では、前軸１０３を後軸１０２に対して回転することで、後軸１０２から前軸１０３を取り外すことができ、その状態でボールペンレフィル１０８を前方へ引っ張ると、シリンダー１１７はスライド部材１０５のストッパー１０５ｂにより前進できないため、ボールペンレフィル１０８をシリンダー１１７から引き抜くことで、容易にボールペンレフィル１０８の交換ができ、更に、第１コイルスプリング１１４も前軸１０３から容易に取り出せるため交換することができる。
この際、ノック時における第１コイルスプリング１１４の弾発力が第２コイルスプリング１１５の弾発力より高くなるように、弾発力が高いものに交換することで、加圧式筆記具１０１の加圧方式を筆圧加圧式からノック加圧式に変更することができる。
【００９７】
本実施形態の加圧式筆記具１０１は、軸筒１０４内に、筆記具用インキ組成物１１１を充填したインキ収容筒１１０と、インキ収容筒１１０の前方部にボールペンチップ１１３と、を具備したボールペンレフィル１０８を収容してなり、ボールペンレフィル１０８の後方に、筆記具用インキ組成物１１１の後端に圧力を加える加圧機構１０７が配設され、加圧機構１０７の後方に、前方へ押圧することにより軸筒１０４の前端開口部１０３ａからボールペンレフィル１０８の前端部を突出させる出没機構１２４が配設された加圧式筆記具１０１であって、出没機構１２４は、軸筒１０４に対して前後動自在、且つ、回動不能に配設されたスライド部材１０５と、スライド部材１０５の後部に回動自在に係止され、軸筒１０４の後端より後方へ突出するノック体１０６と、スライド部材１０５の内方に配設され、スライド部材１０５に対して前後動自在、且つ、回動不能に係止された摺動部材１２３と、を備え、摺動部材１２３は、ノック体１０６の回動に連動して前後動するようノック体１０６に係止され、その前端が加圧機構１０７の後端に当接しており、ボールペンレフィル１０８の外段部１０８ａと軸筒１０４の内段部１０３ｂとの間に第一弾発体１１４を配設することで軸筒１０４に対してボールペンレフィル１０８が後方へ弾発され、出没機構１２４のノック体１０６を前方へ押圧することにより、スライド部材１０５の外壁に形成した掛止部１０５ａが、軸筒１０４の後部に設けたクリップ１０９の前部の被掛止部１０９ｃに掛止して、ボールペンレフィル１０８の前端部が、軸筒１０４の前端開口部１０３ａから突出した状態を維持し、クリップ１０９の後端部を押圧して、クリップ１０９の被掛止部１０９ｃに掛止した掛止部１０５ａとの掛止状態を解除すると、第一弾発体１１４の弾発力によって、スライド部材１０５を後方に移動させると共に、ボールペンレフィル１０８の前端部を軸筒１０４の前端開口部１０３ａ内に没入させ、ボールペンレフィル１０８の前端部が、軸筒１０４の前端開口部１０３ａからの突出を維持した状態で、筆記時の筆圧によりボールペンレフィル１０８が後退することで加圧機構１０７を作動させ、筆記具用インキ組成物１１１の後端に圧力を掛けると共に、出没機構１２４のノック体１０６を回動して摺動部材１２３を前後動させることで、筆記具用インキ組成物１１１の後端に掛かる圧力を調整可能に構成される。
【００９８】
このような加圧式筆記具１０１によれば、出没機構１２４のノック体１０６を前方へ押圧（ノック操作）することにより容易に筆記状態と非筆記状態とを切り替えることができる。更に、ノック体１０６を回動することで摺動部材１２３を前後動させ筆記具用インキ組成物１１１の後端に掛かる圧力を調整することで、筆跡の太さや、筆跡濃度を使用者の好みに合わせて調整することができる。
また、本実施形態は、いわゆる筆圧加圧式であるため、筆圧が掛かった時のみ筆記具用インキ組成物１１１の後端に圧力が掛かる。このため、ノック体１０６を前方へ押圧（ノック操作）した状態で、保管または放置しても筆記具用インキ組成物１１１には圧力が掛かることがなく、ボールペンレフィル１０８の前端からインキが漏れることを防止できる。
【００９９】
また、ノック体１０６が回動自在に係止するスライド部材１０５の外壁に形成した掛止部１０５ａが、軸筒１０４の後端部に設けたクリップの前部の被掛止部１０９ｃに掛止して、ボールペンレフィル１０８を、軸筒１０４の前端開口部１０３ａから突出した状態を維持した状態で、ポケットなどにクリップを挟持する際に、クリップの前端側が持ち上がると、クリップの被掛止部に掛止した掛止部が解除され、ボールペンレフィル１０８を軸筒１０４の前端開口部１０３ａ内に没入させるセーフティ機構を具備しているため、誤ってポケットなどが汚れることを防止できる。
【０１００】
また、スライド部材１０５を軸筒１０４に対して前後動自在且つ回動不能に係止し、ノック体１０６をスライド部材１０５に対して回動自在且つ前後動不能に構成すると共に、スライド部材１０５に対して摺動部材１２３を前後動自在且つ回動不能に係止することが好ましく、この場合、ノック体１０６の前後動（ノック操作）によりボールペンレフィル１０８を出没させる動作と、ノック体１０６の回動により摺動部材１２３を前後動し加圧力を調整する動作とを別々に実行できるようになる。このため、本実施形態の出没機構１２４は、加圧力を毎回調整することなく、筆記状態と非筆記状態とを容易に切り替えることができる。
【０１０１】
更に、ノック体１０６と摺動部材１２３との係止手段は、ノック体１０６の回動に伴い摺動部材１２３が前後動するように係止されていれば特に限定されることはないが、例えば、ノック体１０６の外面に雄螺子部１２２ｂを設け、摺動部材１２３の内面に雌螺子部１２３ａを設けて螺子嵌合させた螺子構造でもよく、ノック体１０６の外面に突起部を設け、摺動部材１２３の後端に突起部に当接し、軸方向に対して傾斜したカム斜面を形成し、ノック体１０６を回動した際に突起部がカム斜面に沿って移動するカム構造にしてもよい。
尚、ノック体１０６とスライド部材１０５は回動自在、且つ、前後動不能に係止され、摺動部材１２３とスライド部材１０５は回動不能、且つ、前後動自在に係止されていることから、螺子構造の場合は、ノック体１０６を回動させても摺動部材１２３は回動することは無く、螺子の係止位置がずれた分、摺動部材１２３が前後動するよう構成され、カム構造の場合は、ノック体１０６の回動に伴い傾斜したカム斜面と突起部との当接位置が前後にずれる分、摺動部材１２３が前後に移動するよう構成される。
【０１０２】
また、ボールペンレフィル１０８が軸筒１０４内にある非ノック状態においては、第二弾発体（第２コイルスプリング）１１５の弾発力より第一弾発体（第１コイルスプリング）１１４の弾発力を低くなるよう構成することが好ましく、この場合、非ノック時は第二弾発体１１５によってシリンダー１１７が前方へ押圧されるため、筆記具用インキ組成物１１１に圧力が掛かることがない。このため、非筆記時のインキ漏れを防止できる。
【０１０３】
更に、ノック体１０６を前方へ押圧し、ボールペンレフィル１０８を軸筒１０４の前端開口部１０３ａから突出させたノック操作時においては、第二弾発体（第２コイルスプリング）１１５の弾発力より第一弾発体（第１コイルスプリング）１１４の弾発力が低くなるように構成することで、第二弾発体１１５により前方へ押圧されたシリンダー１１７及びレフィル１０８が第一弾発体１１４の弾発力に抗して前進するため、ノック状態でもシリンダー１１７内の加圧室（加圧空間）１２０が加圧されることはない。このため、筆記を開始してボールペンレフィル１０８の先端に筆圧が掛かると、筆圧に押されたボールペンレフィル１０８が第二弾発体１１５の弾発力に抗して後退することでシリンダー１１７も同時に後退し、シリンダー１１７内の加圧室１２０が加圧され筆記具用インキ組成物１１１の後端に圧力が掛かる筆圧加圧式として使用することができる。
【０１０４】
尚、ノック時は、第二弾発体（第２コイルスプリング）１１５の弾発力より第一弾発体（第１コイルスプリング）１１４の弾発力が高くなるように構成した場合、第一弾発体１１４により後方へ押圧されたボールペンレフィル１０８がシリンダー１１７を押圧することでシリンダー１１７内が加圧される。このため、ノック操作によりすぐに筆記具用インキ組成物１１１が加圧されるため筆記開始から加圧力を増加させた状態で筆記することができるノック加圧式として使用することができる。
【０１０５】
また、ノック体１０６の外面に表示部を設け、段部とノック体１０６の突起部と当接した際に、ノック体１０６の表示部と軸筒１０４外面に設けた表示部とが一致した箇所がそのときの加圧力の強さを表すよう構成してもよい。
尚、加圧力の強さを表す方法としては、数字（０、１、２、３・・・・）や文字（強、中、弱、無）、記号等を用いることができ、特に限定されるものではない。
【０１０６】
尚、本発明の加圧式筆記具１，１０１は、油性インキ、水性インキなど、インキの種類に限定されることなく実施可能である。特に、水性インキや剪断減粘性の水性インキを用いた場合には、加圧によるインキ吐出量の増減が大きく、筆跡の太さや幅や筆跡の濃淡など加圧力の変化による差が大きいので好適に用いることができる。更にマイクロカプセル顔料を用いた熱変色性インキを用いた筆記具においては、通常（非加圧）であってもインキ吐出量が特に多く、総筆記距離への影響も大きいため、用途などによって加圧力が変化できる本発明の効果は顕著である。
【０１０７】
次に、図１９〜図２４を参照して、他の変形例について説明する。以下の説明及び以下の説明で用いる図面では、第１実施形態と同様に構成され得る部分について、第１実施形態における対応する部分に対して用いた符号と同一の符号を用いることとし、重複する説明を省略する。また、第１実施形態において得られる作用効果が変形例においても得られることが明らかである場合、その説明を省略することもある。
【０１０８】
本変形例の加圧式筆記具２０１では、ボールペンレフィル８に充填される筆記具用インキ組成物１１として熱変色性インキが用いられる例について説明する。本変形例の筆記具用インキ組成物１１は、可逆熱変色性マイクロカプセル顔料を含む可逆熱変色性インキである。したがって、形成される筆跡は熱変色性を有しており、加熱または冷却によって変色または消色する。なお、これに限られず、筆記具用インキ組成物１１として熱変色性インキ以外の他のインキ組成物を用いることも可能である。
【０１０９】
マイクロカプセル顔料の平均粒子径は、０．１μｍ〜５．０μｍであることが好ましく、０．１μｍ〜４．０μｍであることがより好ましく、０．５μｍ〜３．０μｍであることがさらに好ましい。マイクロカプセル顔料の平均粒子径を上記数値範囲とすることにより、高濃度の発色性を維持しつつ、本発明の筆記具の筆記感をより滑らかなものとすることができる。なお、粒子径、粒度分布の測定は、例えばコールター法（電気的検知帯法）により測定することができる。具体的には精密分布測定装置（ベックマンコールター製Ｍｕｌｔｉｓｉｚｅｒ４ｅ）を用いて測定し、その数値を基に平均粒子径（メジアン径）を体積基準で算出する。或いは、レーザー回折／散乱式粒子径分布測定装置〔株式会社堀場製作所製；ＬＡ−３００〕を用いて測定し、標準試料を用いて校正した数値を基に平均粒子径（メジアン径）を体積基準で算出することができる。
【０１１０】
可逆熱変色性マイクロカプセル顔料の含有量は、インキ組成物全量に対し、５〜４０質量％であることが好ましく、１０〜４０質量％であることがより好ましく、１５〜３５質量％であることがさらに好ましい。可逆熱変色性マイクロカプセル顔料の含有量を上記数値範囲とすることにより、インキ流出性を維持しつつ、発色性能を向上させることができる。
【０１１１】
本発明における可逆熱変色性インキの変色温度は、その目的などに応じて適切に設定される。たとえば、加熱により消色する可逆熱変色性インキを用いる場合、加熱によって消色する温度は、２５℃〜９５℃に設定することが好ましく、３６℃〜９０℃に設定することがより好ましい。より具体的には、高温側変色点〔完全消色温度（ｔ４）〕を、２５℃〜９５℃、好ましくは、３６℃〜９０℃、の範囲に設定し、低温側変色点〔完全発色温度（ｔ１）〕を、−３０℃〜＋２０℃、好ましくは、−３０℃〜＋１０℃、の範囲に設定することができる。このような構成とすることにより、常態（日常の生活温度域）で色彩を有効に保持することができるとともに、筆跡を加熱、具体的には後述する摩擦体２２０等による摩擦熱による加熱、で容易に消色させることができる。
【０１１２】
図１９は、本変形例の加圧式筆記具２０１を示す図であり、非ノック時における加圧式筆記具２０１の縦断面図である。また、図２０は、図１９の加圧式筆記具２０１の内部部品の構成を説明するための分解図であり、図２１は、図１９の加圧式筆記具２０１の加圧機構７を示す縦断面図である。
【０１１３】
図示された例では、軸筒４は、後軸２、前軸３及び後筒２０５を有している。後筒２０５は、後軸２の後方に配置され、後軸２に対して回動自在且つ前後動不能に係止されている。後筒２０５の後端には摩擦体２２０が着脱不能に係止されている。摩擦体２２０は、例えば熱変色性を有する筆記具用インキ組成物１１による筆跡を摩擦し、その際に生じる摩擦熱によりこの筆跡を変色（消色）させるために用いられる。なお、これに限られず、摩擦体２２０は、砂消しゴム等の摩擦体であってもよい。摩擦体２２０は、例えば弾性材料からなり、後筒２０５の後端に圧入、係合、螺合、嵌合、接着、２色成形によって固定することができる。
【０１１４】
ノック体６は、ノック体６の本体から外方に向かって延び出るスライド部６ａを有している。スライド部６ａには、軸筒４の外方においてクリップ９が固定されている。
【０１１５】
軸筒４には、ノック体６を前方へ押圧してスライド部６ａを前後方向にスライド移動させるためのスリット部２１０を有している。スリット部２１０は、後軸２の後部に設けられる前部スリット２１１と、後筒２０５の前部に設けられる後部スリット２１５とを含む。図示された例では、前部スリット２１１は、第１スリット２１２、第２スリット２１３及び第３スリット２１４の３つのスリットを含む。なお、これに限られず、前部スリット２１１は、２つのスリットを含んでもよいし、４つ以上のスリットを含んでもよい。前部スリット２１１（スリット２１２〜２１４）は、後軸２を内方から外方へ向かって貫通している。また、前部スリット２１１は、前後方向に沿って直線状に延び後軸２の後端に開口する。後部スリット２１５は、１本のスリットを含む。後部スリット２１５は、後筒２０５を内方から外方へ向かって貫通している。また、後部スリット２１５は、前後方向に沿って直線状に延び後筒２０５の前端に開口する。
【０１１６】
使用者が後筒２０５を後軸２に対して回転させることにより、後部スリット２１５は、前部スリット２１１の第１スリット２１２、第２スリット２１３又は第３スリット２１４と前後方向に整列される。これにより、後部スリット２１５と、第１スリット２１２、第２スリット２１３及び第３スリット２１４のいずれかとが、互いに前後方向に連通する。このとき、ノック体６のスライド部６ａが、後部スリット２１５内と、当該後部スリット２１５と連通したスリット２１２〜２１４内と、の間を前後方向に沿って移動することができる。
【０１１７】
軸筒４の内部には、筒状体２３０が配置されている。筒状体２３０は、全体として略筒状に形成されている。筒状体２３０は、その凸部２３０ａが軸筒４の内面に設けられた凹部２ｉ内に係止されることにより、軸筒４に対して回動不能且つ前後動不能に固定されている。図示された例では、凹部２ｉは、軸筒４を内方から外方へ貫通する貫通孔として形成されている。
【０１１８】
シリンダー１７は、筒状体２３０に対して回動不能且つ前後動可能に係止されている。ピストン１８は、シリンダー１７に対して回動不能且つ前後動可能に係止されている。本変形例のピストン１８は、その後部に、後方へ向って突出して形成された突起部２１８ｆを有している。突起部２１８ｆには、その後端に円弧状の係止部２１８ｇが形成されている。
【０１１９】
ピストン１８の後方には、カム部材２２３が配置されている。カム部材２２３はノック体６に対して回動不能且つ前後動可能に係止されている。カム部材２２３の前部には、軸方向に対して段状に形成したカム斜面２２３ａが形成されている。カム部材２２３には、前端面から後方へ向かって傾斜して延びるカム斜面２２３ａが形成してあり、カム斜面２２３ａは複数の段部２２３ｂを備えた段状に形成してある。そして、第２コイルスプリング１５により後方へ弾発されたピストン１８の突起部２１８ｆが、複数の段部２２３ｂのいずれかに選択的に係合する。
【０１２０】
カム部材２２３の外方には、カム部材２２３を取り囲むようにして、動作体２４０及び中間部材２５０が配置されている。動作体２４０は、中間部材２５０に対して後方に配置されている。動作体２４０の側面には、案内突起２４０ａが形成されている。その一方、軸筒４の内面には、複数の係合溝２ｈが形成されている。動作体２４０の案内突起２４０ａは、軸筒４の係合溝２ｈに挿入されており、動作体２４０は、軸筒４に対して回動不能且つ前後動可能に係止されている。また、動作体２４０はノック体６に対して回動可能且つ前後動不能に係止されている。
【０１２１】
中間部材２５０の側面には、外方へ向って突出し後方へ延びるカム突起２５０ａが形成されている。中間部材２５０は、軸筒４に対して回動可能に構成される。加圧式筆記具２０１がノック加圧式である場合、中間部材２５０は、ノック後においてはその前端がシリンダー１７の後端に当接し、ボールペンレフィル８を後方へ付勢している第１コイルスプリング１４及びシリンダー１７内の第２コイルスプリング１５により後方へ弾発される。
【０１２２】
この動作体２４０、中間部材２５０及び軸筒４の複数の係合溝２ｈにより、ボールペンレフィル８の出没機構が構成される。出没機構を構成する動作体２４０、中間部材２５０及び係合溝２ｈは、例えばＪＰ２０１３−００６２８１Ａにおいて図１１及び図１２を参照して説明される出没機構と同様に構成することができるので、各部材の形状及び動作についての詳細な説明は省略する。
【０１２３】
次に、図２２Ａ〜図２４Ｂを参照して、ノック体６を回動して加圧力の設定を変更する動作について説明する。図２２Ａは、本変形例の加圧式筆記具２０１のノック時における外観を示す図であって、加圧力が掛からないよう設定した状態における加圧式筆記具２０１を示す図である。図２２Ｂは、図２２ＡにおけるＸＸＩＩＢ−ＸＸＩＩＢ線に沿った縦断面図である。図２３Ａは、本変形例の加圧式筆記具２０１のノック時における外観を示す図であって、加圧力を相対的に低い圧力に設定した状態における加圧式筆記具２０１を示す図である。図２３Ｂは、図２３ＡにおけるＸＸＩＩＩＢ−ＸＸＩＩＩＢ線に沿った縦断面図である。図２４Ａは、本変形例の加圧式筆記具２０１のノック時における外観を示す図であって、加圧力を相対的に高い圧力に設定した状態における加圧式筆記具２０１を示す図である。図２４Ｂは、図２４ＡにおけるＸＸＩＶＢ−ＸＸＩＶＢ線に沿った縦断面図である。
【０１２４】
非ノック状態では、ノック体６のスライド部６ａは、後筒２０５の後部スリット２１５内に挿入されている。この非ノック状態においてノック体６（クリップ９）を後筒２０５ごと軸筒４に対して回動することで加圧室２０内を圧縮する設定を変更することができる。ノック体６と後筒２０５とを軸筒４に対して回動すると、ノック体６に対してカム部材２２３を回動不能に係止していることから、ノック体６と共にカム部材２２３が回転する。このとき、ピストン１８の突起部２１８ｆはカム部材２２３のカム斜面２２３ａに沿って隣の段部へ移動される。移動した段部の前後方向における位置の差分だけピストン１８が前後動することで、ノックした際の加圧室２０内の加圧量が変化する。ノック体６を回動する際、後筒２０５の後部スリット２１５は、軸筒４の３本のスリット２１２〜２１４の内の一つと前後方向の位置が合致する状態から、隣り合うスリット２１２〜２１４と前後方向の位置が合致するまで回転する。本変形例では、後部スリット２１５と第１スリット２１２とが互いに前後方向に整列されたときに、筆記具用インキ組成物１１に対して加圧力調整機構による加圧力が掛からないように設定される。また、後部スリット２１５と第２スリット２１３とが互いに前後方向に整列されたときに、筆記具用インキ組成物１１に対して加圧力調整機構による相対的に低い加圧力が掛かるように設定される。さらに、後部スリット２１５と第３スリット２１４とが互いに前後方向に整列されたときに、筆記具用インキ組成物１１に対して加圧力調整機構による相対的に高い加圧力が掛かるように設定される。
【０１２５】
非ノック時にノック体６（クリップ９）を前方へ押圧してスライドさせると、ノック体６のスライド部６ａが後部スリット２１５から前部スリット２１１（スリット２１２〜２１４）へと移動する。このとき、ピストン１８の突起部２１８ｆ（係止部２１８ｇ）がカム部材２２３のカム斜面２２３ａに当接している為、ピストン１８はカム部材２２３に押されて前進し、ピストン１８に押される形でシリンダー１７も前進する。
【０１２６】
加圧式筆記具２０１がノック加圧式である場合、取付時における加圧室２０内の第２コイルスプリング１５の弾発力とボールペンレフィル８を後方へ付勢している第１コイルスプリング１４の弾発力との関係は、
第２コイルスプリング１５の弾発力＞第１コイルスプリング１４の弾発力
となり、ノック後における第１コイルスプリング１４と第２コイルスプリング１５の関係は、
第２コイルスプリング１５の弾発力＜第１コイルスプリング１４の弾発力
となっているため、ノック最中に第１コイルスプリング１４の弾発力が第２コイルスプリング１５を上回ると、ピストン１８がシリンダー１７に対して相対的に前進（シリンダー１７の前進が一時的に停止）し、シリンダー１７の後端と中間部材２５０の前端が当接した時点でシリンダー１７は中間部材２５０に押されて再度前進を開始する。この際、シリンダー１７に対してピストン１８が前進することでシリンダー１７の側面に形成した空気孔と加圧室２０内との連通をピストン１８の側面に固定したＯリング１９が遮断することで加圧室２０内が気密され、更にピストン１８がシリンダー１７に対して前進することで加圧室２０内が圧縮され加圧された状態となる。
【０１２７】
加圧式筆記具２０１が筆圧加圧式である場合、取り付け時における加圧室２０内の第２コイルスプリング１５の弾発力とボールペンレフィル８を後方へ付勢している第１コイルスプリング１４の弾発力との関係は、
第２コイルスプリング１５の弾発力＞第１コイルスプリング１４の弾発力
となり、ノック後における第１コイルスプリング１４の弾発力と第２コイルスプリング１５の弾発力との関係は、
第２コイルスプリング１５の弾発力＞第１コイルスプリング１４の弾発力
となっている。このため、ピストン１８に対してシリンダー１７が第２コイルスプリング１５の弾発力で最前進した位置を維持したままピストン１８の突起部２１８ｆがカム部材２２３のカム斜面２２３ａに押されて前進する。この時、中間部材２５０も動作体２４０の接触面２４０ｂに押されて前進する。
【０１２８】
本変形例の加圧式筆記具２０１では、筆記具用インキ組成物１１は、熱変色性インキであり、軸筒４の後端に設けられ、熱変色性インキの筆跡を摩擦しその際に生じる摩擦熱により該筆跡を変色させることが可能な摩擦体２２０を有する。
【０１２９】
このような加圧式筆記具２０１によれば、筆記具用インキ組成物として熱変色性インキを用いた、筆記状態と非筆記状態とを切り換え可能な加圧式筆記具２０１であっても、レフィル内に充填された筆記具用インキ組成物に作用する圧力を、使用者の好みに応じて調整することが可能になる。
【図１】
2019004461.tif 000003
【図２】
2019004461.tif 000004
【図３】
2019004461.tif 000005
【図４】
2019004461.tif 000006
【図５】
2019004461.tif 000007
【図６Ａ】
2019004461.tif 000008
【図６Ｂ】
2019004461.tif 000009
【図６Ｃ】
2019004461.tif 000010
【図７】
2019004461.tif 000011
【図８】
2019004461.tif 000012
【図９】
2019004461.tif 000013
【図１０】
2019004461.tif 000014
【図１１】
2019004461.tif 000015
【図１２】
2019004461.tif 000016
【図１３】
2019004461.tif 000017
【図１４】
2019004461.tif 000018
【図１５】
2019004461.tif 000019
【図１６】
2019004461.tif 000020
【図１７】
2019004461.tif 000021
【図１８Ａ】
2019004461.tif 000022
【図１８Ｂ】
2019004461.tif 000023
【図１８Ｃ】
2019004461.tif 000024
【図１９】
2019004461.tif 000025
【図２０】
2019004461.tif 000026
【図２１】
2019004461.tif 000027
【図２２Ａ】
2019004461.tif 000028
【図２２Ｂ】
2019004461.tif 000029
【図２３Ａ】
2019004461.tif 000030
【図２３Ｂ】
2019004461.tif 000031
【図２４Ａ】
2019004461.tif 000032
【図２４Ｂ】
2019004461.tif 000033
【国際調査報告】
2019004461.tif 000034
2019004461.tif 000035
2019004461.tif 000036
2019004461.tif 000037